(57)【要約】【課題】適切な時に適切な内容の情報を適切な配信先に配信することができる、動的情報配信技術を提供する。【解決手段】検知対象の状況を検知する状況検知装置２と、少なくとも状況検知装置２により検知された状況を含む状況情報と、検知時間情報と、検知装置識別情報とを含む検知情報とを、有線通信及び無線通信の少なくとも一方を介して送信する状況送信装置３と、この状況送信装置３により送信される検知情報を受信し、この受信した検知情報に基づき検知対象における状況の変化を検知するとともに、状況の変化を検知したとき、その状況の変化と検知装置識別情報とに応じて配信先およびこれに対応した配信内容を動的に決定し、各配信先に対して対応する配信内容を送信する配信装置１０とを備えた動的情報配信システムとする。【選択図】図１
2005222249.tif 000002
【特許請求の範囲】
【請求項１】
検知対象の状況を検知する状況検知装置と、
少なくとも前記状況検知装置により検知された状況を含む状況情報と、検知時間情報と、検知装置識別情報とを含む検知情報を、有線通信及び無線通信の少なくとも一方を介して送信する状況送信装置と、
この状況送信装置により送信される検知情報を受信し、この受信した検知情報に基づき前記検知対象における状況の変化を検知するとともに、状況の変化を検知したとき、その状況の変化と検知装置識別情報とに応じて配信先およびこれに対応した配信内容を動的に決定し、各配信先に対して対応する配信内容を送信する配信装置と、
を備えたことを特徴とする動的情報配信システム。
【請求項２】
前記配信装置は、配信制御サーバおよびデータベースサーバからなり、
前記データベースサーバは、少なくとも状況情報、検知時間情報および検知装置識別情報を対応付けてなる履歴情報と、少なくとも配信先識別情報、配信先種別情報、宛先情報および配信方法を対応付けてなる配信先情報と、少なくとも配信基準情報および配信範囲を対応付けてなる配信ルール情報と、ならびに少なくとも配信基準情報およびテンプレート情報を対応付けてなる配信テンプレート情報とを、それぞれ格納するように構成されており、
前記配信制御サーバは、（Ａ）前記受信した検知情報を前記履歴情報として前記データベースサーバに記憶させるとともに、（Ｂ）前記受信の度に、受信情報と同一の検知装置識別情報を含み且つ受信情報に対して時間的に直近の検知時間情報を含む履歴情報を前記データベースサーバから選択し、受信した状況情報と選択した履歴情報に含まれる状況情報とを比較し、（Ｃ）変化があったとき又はその比較により変化量を算出してその変化量が所定値以上であったときは、受信した状況情報に該当する配信基準情報と対応する配信範囲をデータベースサーバから選択し、この配信範囲に該当する配信先種別と受信した状況情報に該当する配信基準情報とを含むテンプレート情報をデータベースサーバから選択し、このテンプレートに受信した検知情報を埋め込み配信先種別毎の配信情報を作成するかまたはテンプレート情報そのものを配信情報とするとともに、取得した配信範囲に該当する配信先情報を受信した検知装置識別情報を基準にしてデータベースサーバから選択し、配信先情報に含まれる配信先種別と対応する配信情報を、配信先情報に含まれる宛先情報および配信方法に従って送信するように構成されている、
請求項１記載の動的情報配信システム。
【請求項３】
前記状況検知装置は、防犯検知装置、環境状況検知装置、自然現象状況検知装置、防災状況検知装置、健康状況検知装置、介護状況検知装置、交通状況検知装置の少なくとも一つである、請求項１または２記載の動的情報配信システム。
【請求項４】
前記配信先として、少なくとも、検知対象自体若しくはその関係者、検知対象の状況変化に利害関係を有する者、検知対象及び状況に関係して通報すべき所轄官庁、任意に登録された連絡先を含む、請求項１〜３のいずれか１項に記載の動的情報配信システム。
【請求項５】
配信制御サーバおよびデータベースサーバからなり、
前記データベースサーバは、少なくとも状況情報、検知時間情報および検知装置識別情報を対応付けてなる履歴情報と、少なくとも配信先識別情報、配信先種別情報、宛先情報および配信方法を対応付けてなる配信先情報と、少なくとも配信基準情報および配信範囲を対応付けてなる配信ルール情報と、ならびに少なくとも配信基準情報およびテンプレート情報を対応付けてなる配信テンプレート情報とを、それぞれ格納するように構成されており、
前記配信制御サーバは、（Ａ）外部から送信されてくる状況情報、検知時間情報および検知装置識別情報を受信し、この受信した検知情報を前記履歴情報として前記データベースサーバに記憶させるとともに、（Ｂ）前記受信の度に、受信情報と同一の検知装置識別情報を含み且つ受信情報に対して時間的に直近の検知時間情報を含む履歴情報を前記データベースサーバから選択し、受信した状況情報と選択した履歴情報に含まれる状況情報とを比較し、（Ｃ）変化があったとき又はその比較により変化量を算出してその変化量が所定値以上であったときは、受信した状況情報が該当する配信基準情報と対応する配信範囲をデータベースサーバから選択し、この配信範囲に該当する配信先種別を含むテンプレート情報をデータベースサーバから選択し、このテンプレートに受信した検知情報を埋め込み配信先種別毎の配信情報を作成するかまたはテンプレート情報そのものを配信情報とするとともに、取得した配信範囲に該当する配信先情報を受信した検知装置識別情報を基準にしてデータベースサーバから選択し、配信先情報に含まれる配信先種別と対応する配信情報を、配信先情報に含まれる宛先情報および配信方法に従って送信するように構成されている、
ことを特徴とする動的情報配信システムにおける配信装置。
【請求項６】
状況検知装置により検知対象の状況を検知し、
この状況検知装置により検知した状況を含む状況情報と、検知時間情報と、検知装置識別情報とを含む検知情報とを、有線通信及び無線通信の少なくとも一方を介して配信装置により受信し、
配信装置は、前記受信した検知情報に基づき前記検知対象における状況の変化を検知するとともに、状況の変化を検知したとき、その状況の変化と検知装置識別情報とに応じて配信先およびこれに対応した配信内容を動的に決定し、各配信先に対して対応する配信内容を送信する、
ことを特徴とする動的情報配信方法。
【発明の詳細な説明】
【技術分野】
【０００１】
本発明は、動的情報配信システムおよびそれに用いる配信装置、ならびに動的情報配信方法に関するものである。
【背景技術】
【０００２】
近時、情報関連技術の急速な発展に伴い、様々な分野において動的な情報配信がなされている。例えば、インターネットを介した地図情報の閲覧サービス（例えば特許文献１参照）では、ユーザーが端末装置により住所や電話番号等の位置関連情報を入力すると、これを受信したサーバは、入力情報に対応した位置を中心とする地図情報を動的に作成し、ユーザー端末に送信するように構成されている。
【０００３】
また、登録もしくは入力された個人情報等に基づき、多数の提供情報や広告情報の中から配信先に適合する情報を選択し配信する技術も知られている（例えば特許文献２参照）。
【０００４】
しかしながら、従来の動的情報配信技術では、サービス利用者の登録や入力が無い限り情報配信が実行されなかったり、その後、自動的に情報配信されるといっても利用者の状況に関係なく、サービス提供者側から一方的なタイミングで配信されたり、配信内容を動的に決定するといっても登録情報に基づくためその内容は殆ど固定されてしまったり、あるいは利用者の状況に関係なく、サービス提供者側により一方的に配信内容が決定されたりするという問題点があった。
【０００５】
そのため、従来の技術は、例えば防犯・防災に関する情報や、自然現象・環境等に関する情報、健康・介護に関する情報、交通情報等の公共性や地域性が強い情報のように、適切な時に適切な内容で適切な配信先に配信するのは困難であった。
【特許文献１】特許３４５４２２５号公報
【特許文献２】特許２９７６２１９号公報
【発明の開示】
【発明が解決しようとする課題】
【０００６】
そこで、本発明の主たる課題は、適切な時に適切な内容の情報を適切な配信先に配信することができる、動的情報配信技術を提供することにある。
【課題を解決するための手段】
【０００７】
上記課題を解決した本発明の動的情報配信システムは、次記のとおりである。
＜請求項１記載の発明＞
検知対象の状況を検知する状況検知装置と、
少なくとも前記状況検知装置により検知された状況を含む状況情報と、検知時間情報と、検知装置識別情報とを含む検知情報を、有線通信及び無線通信の少なくとも一方を介して送信する状況送信装置と、
この状況送信装置により送信される検知情報を受信し、この受信した検知情報に基づき前記検知対象における状況の変化を検知するとともに、状況の変化を検知したとき、その状況の変化と検知装置識別情報とに応じて配信先およびこれに対応した配信内容を動的に決定し、各配信先に対して対応する配信内容を送信する配信装置と、
を備えたことを特徴とする動的情報配信システム。
【０００８】
＜請求項２記載の発明＞
前記配信装置は、配信制御サーバおよびデータベースサーバからなり、
前記データベースサーバは、少なくとも状況情報、検知時間情報および検知装置識別情報を対応付けてなる履歴情報と、少なくとも配信先識別情報、配信先種別情報、宛先情報および配信方法を対応付けてなる配信先情報と、少なくとも配信基準情報および配信範囲を対応付けてなる配信ルール情報と、ならびに少なくとも配信基準情報およびテンプレート情報を対応付けてなる配信テンプレート情報とを、それぞれ格納するように構成されており、
前記配信制御サーバは、（Ａ）前記受信した検知情報を前記履歴情報として前記データベースサーバに記憶させるとともに、（Ｂ）前記受信の度に、受信情報と同一の検知装置識別情報を含み且つ受信情報に対して時間的に直近の検知時間情報を含む履歴情報を前記データベースサーバから選択し、受信した状況情報と選択した履歴情報に含まれる状況情報とを比較し、（Ｃ）変化があったとき又はその比較により変化量を算出してその変化量が所定値以上であったときは、受信した状況情報が該当する配信基準情報と対応する配信範囲をデータベースサーバから選択し、この配信範囲に該当する配信先種別を含むテンプレート情報をデータベースサーバから選択し、このテンプレートに受信した検知情報を埋め込み配信先種別毎の配信情報を作成するかまたはテンプレート情報そのものを配信情報とするとともに、取得した配信範囲に該当する配信先情報を受信した検知装置識別情報を基準にしてデータベースサーバから選択し、配信先情報に含まれる配信先種別と対応する配信情報を、配信先情報に含まれる宛先情報および配信方法に従って送信するように構成されている、
請求項１記載の動的情報配信システム。
【０００９】
＜請求項３記載の発明＞
前記状況検知装置は、防犯検知装置、環境状況検知装置、自然現象状況検知装置、防災状況検知装置、健康状況検知装置、介護状況検知装置、交通状況検知装置の少なくとも一つである、請求項１または２記載の動的情報配信システム。
【００１０】
＜請求項４記載の発明＞
前記配信先として、少なくとも、検知対象自体若しくはその関係者、検知対象の状況変化に利害関係を有する者、検知対象及び状況に関係して通報すべき所轄官庁、任意に登録された連絡先を含む、請求項１〜３のいずれか１項に記載の動的情報配信システム。
【００１１】
＜請求項５記載の発明＞
配信制御サーバおよびデータベースサーバからなり、
前記データベースサーバは、少なくとも状況情報、検知時間情報および検知装置識別情報を対応付けてなる履歴情報と、少なくとも配信先識別情報、配信先種別情報、宛先情報および配信方法を対応付けてなる配信先情報と、少なくとも配信基準情報および配信範囲を対応付けてなる配信ルール情報と、ならびに少なくとも配信基準情報およびテンプレート情報を対応付けてなる配信テンプレート情報とを、それぞれ格納するように構成されており、
前記配信制御サーバは、（Ａ）外部から送信されてくる状況情報、検知時間情報および検知装置識別情報を受信し、この受信した検知情報を前記履歴情報として前記データベースサーバに記憶させるとともに、（Ｂ）前記受信の度に、受信情報と同一の検知装置識別情報を含み且つ受信情報に対して時間的に直近の検知時間情報を含む履歴情報を前記データベースサーバから選択し、受信した状況情報と選択した履歴情報に含まれる状況情報とを比較し、（Ｃ）変化があったとき又はその比較により変化量を算出してその変化量が所定値以上であったときは、受信した状況情報が該当する配信基準情報と対応する配信範囲をデータベースサーバから選択し、この配信範囲に該当する配信先種別を含むテンプレート情報をデータベースサーバから選択し、このテンプレートに受信した検知情報を埋め込み配信先種別毎の配信情報を作成するかまたはテンプレート情報そのものを配信情報とするとともに、取得した配信範囲に該当する配信先情報を受信した検知装置識別情報を基準にしてデータベースサーバから選択し、配信先情報に含まれる配信先種別と対応する配信情報を、配信先情報に含まれる宛先情報および配信方法に従って送信するように構成されている、
ことを特徴とする動的情報配信システムにおける配信装置。
【００１２】
＜請求項６記載の発明＞
状況検知装置により検知対象の状況を検知し、
この状況検知装置により検知した状況を含む状況情報と、検知時間情報と、検知装置識別情報とを含む検知情報とを、有線通信及び無線通信の少なくとも一方を介して配信装置により受信し、
配信装置は、前記受信した検知情報に基づき前記検知対象における状況の変化を検知するとともに、状況の変化を検知したとき、その状況の変化と検知装置識別情報とに応じて配信先およびこれに対応した配信内容を動的に決定し、各配信先に対して対応する配信内容を送信する、
ことを特徴とする動的情報配信方法。
【発明の効果】
【００１３】
本発明の主要ポイントは、状況検知装置により検知される状況情報、検知時間情報、および検知装置識別情報に基づき、状況の変化を検知し、状況の変化に応じて動的に配信先および配信内容を適切に決定するところにある。このような構成を採ることにより、例えば次のような新規な動的配信システムが可能になる。
【００１４】
すなわちいま、状況検知装置として、敷地内及び家屋内に侵入検知装置がそれぞれ設置されている場合を考える。この場合、防犯装置が不法侵入を検知すると、その情報が配信装置に送信される。配信装置は、受信した検知情報に基づいて状況の変化、すなわち当該検知装置の検知対象の住宅が侵入無しの状態から侵入ありの状態に変化したと判断する。このとき、受信情報が例えば敷地内への侵入は発生したが、家屋内への侵入が発生していないといった内容であったとすると、配信装置は、その内容に応じた配信先として、例えば当該住宅の住人のみならず、次に侵入を受けるおそれのある隣人を選択し、電話、ＦＡＸ、e-mail等により、配信先毎に異なる適切な配信内容を配信する。また、受信情報が住宅侵入ありという内容であったとすると、その内容に応じた配信先として、当該住宅の住人および隣人のみならず警察をも選択し、各々に対して配信先毎に異なる適切な内容の連絡を行う。
【００１５】
かくして、例えば防犯・防災に関する情報や、自然現象・環境等に関する情報、健康・介護に関する情報、交通情報等の公共性や地域性が強い情報のようなものであっても、状況の発生に対して、適切な時に適切な内容で適切な配信先に配信することができるようになる。
【発明を実施するための最良の形態】
【００１６】
以下、本発明の一実施形態について添付図面を参照しながら詳説する。
＜システム構成例＞
図１は、本発明に係る動的情報配信システムの構成例１を示しており、同図中符号ＩＳは各種の通信網（例えば、インターネット、ＷＡＮ、ＬＡＮ、電話網（固定電話網、形態電話網等含む）のような双方向通信可能なものの他、一方向通信可能なものも含む）を示している。
【００１７】
前述のとおり、本発明は検知対象の状況を検知することを前提とするものであり、この検知対象としては、ビル・家屋・道路等の地上構造物、地下鉄の駅、地下街、トンネル等の地下構造物の他、山頂、海底等を含む任意のあらゆる地点とすることができ、また、人、動植物等の生物、無人または有人の車両、航空機、ロボット等の移動体とすることもできる。
【００１８】
本発明では、これらの検知対象の状況を検知するために状況検知装置２が用いられる。状況検知装置２は検知対象に応じて、検知対象自体に設置もしくは装着することもでき、また検知可能な限り検知対象から離れて設置等することができる。状況検知装置２は、検知対象の種類や検知すべき状況、配信内容に応じて適宜選択することができ、例えば下記表１に示す例を挙げることができる。
【００１９】
【表１】
2005222249.tif 000003
【００２０】
【表２】
2005222249.tif 000004
【００２１】
状況検知装置２で検知された情報は、状況送信装置３に送信される。状況送信装置３としては、後述する配信装置１０に対して有線または無線による通信が可能なものでれば特に限定されるものではないが、パーソナルコンピュータまたは同等の機能を有する専用端末（例えばホームサーバ、ＰＯＳ端末）を好適に用いることができる。送信方法としては、電話（携帯電話含む。以下同じ。）による自動応答通信、ＦＡＸにより情報を送信し受信側ではＯＣＲで情報を読み取る通信方式、電子メールその他のインターネットを利用した通信等を利用することができる。このため、状況送信装置３は、ネットワークインターフェース、ＦＡＸモデム、その他の通信機器５を内蔵もしくは外付けすることができる。
【００２２】
状況検知装置２がアナログ信号を出力するものであり、状況送信装置３がデジタル機器である場合、いずれか一方の装置にＡＤ変換インターフェースを装備させるか、または両装置の間にＡＤ変換装置を介在させることができる。このように、状況検知装置２と状況送信装置３とは、専用もしくは汎用のインターフェース、ならびに必要に応じて専用もしく汎用の受信装置４を介して有線または無線通信により接続することができる。
【００２３】
本発明では、一つの状況送信装置３に対して複数の状況検知装置２を接続し、状況送信を統一化するのが好ましいが、状況検知装置２の機能によっては統一化が困難な場合もあり、必要に応じて、複数の状況送信装置３を用いることができる。この場合、状況検知装置２と送信装置３とを一対一で用いても良く、検知装置２をグループに分けて各グループ毎に異なる送信装置３を用いるようにしても良い。
【００２４】
状況送信装置３は、制御プログラムに従って状況検知装置から送信された検知情報を送信する。このため、状況送信装置３は、その構成装置内にハードディスク、ＲＯＭ等の不揮発性記憶装置若しくは媒体を内蔵するか、あるいはネットワーク、その他のインターフェースを介してアクセス可能な外部記憶装置を有しており、そこに記憶された制御プログラムを読み出して実行する。この送信制御フローとしては、例えば図２に示すように、定期的に状況検知装置２から検知情報を受信し、これを逐次あるいは一定量まとめて送信するように構成することができる。状況送信装置３は、検知装置２から検知情報を受信すると、受信情報を適切な形態、例えば状況種別および状況レベルに変換し、この状況情報に、検知装置識別情報と、検知時間情報とを付加し、これらを対応付けた一連の検知情報として、後述する配信装置１０に対して送信する。
【００２５】
配信装置１０は、本発明の機能を奏する限り特に限定されるものではないが、大規模システムへの適用を考慮すると、配信制御サーバ１１およびデータベースサーバ１２からなる構成とするのが好ましい。これらのサーバは、単一のハードウェア上に構成しても良く、機能毎に複数のハードウェアに分割しても良い。適用・管理の容易性から、図示形態のように、配信制御サーバ１１とデータベースサーバ１２とを個別のコンピュータにより構成し、かつそれぞれネットワークインターフェースを介してインターネット、ＷＡＮ、ＬＡＮ、ＶＰＮ等に接続し、配信制御サーバからデータベースサーバにアクセスして所定のデータの追加、更新、選択が可能なように構成するのが好ましい。
【００２６】
配信装置１０は、状況送信装置３からの検知情報の受信、ならび配信先・配信内容の動的な決定とその送信を行う。この送受信のため、配信制御サーバ１１を構成する機器自体に、ネットワークインターフェース、ファックスモデム、ＴＡ等の送受信機器と送受信プログラムとを装備し、独自に電子メール、電話、ＦＡＸ、その他の通信方法により送受信する構成とすることができる。電子メールやファックスを利用する場合、メールサーバ１３やファックスサーバ１４を別のコンピュータもしくは専用機上に構成することができる。また電話通信を行う場合、自動電話通報装置１５を別途設置し、これをネットワーク経由あるいは専用接続により制御して通信を行うことができる。また、配信制御サーバ１１は、配信制御プログラムに従って動的情報配信を行う。このため、配信制御サーバ１１は、その構成装置内にハードディスク、ＲＯＭ等の不揮発性記憶装置若しくは媒体を内蔵するか、あるいはネットワーク、その他のインターフェースを介してアクセス可能な外部記憶装置を有しており、そこに記憶された制御プログラムを読み出して実行する。
【００２７】
また、データベースサーバ１２としてはリレーショナルデータベースに限られず、階層型・ネットワーク型・各種ポストリレーショナル型等を用いることもできる。
【００２８】
配信制御サーバ１１とデータベースサーバ１２とを用いる具体的形態については、本発明の範囲内で適宜定めることができるが、例えば、以下に説明するような形態を採ることができる。すなわち、データベースサーバ１２においては、次のようなテーブル構造のデータベースを構築する。
【００２９】
＜履歴テーブル＞
検知情報を逐一、１レコードとして記録するためのテーブルであり、例えば次のようなフィールドにより構成することができる。
・履歴ＩＤ番号（主キー）
・検知装置ＩＤ番号
・検知時間
・状況種別
・状況レベル（計測値、あるいは複数段階の値とすることができる）
＜配信先テーブル＞
配信先に関する情報を記録しておくためのテーブルであり、例えば次のようなフィールドにより構成することができる。
・配信先ＩＤ番号（主キー）
・配信先種別（検知対象自体若しくはその関係者、検知対象の状況変化に利害関係を有する者、検知対象及び状況に関係して通報すべき所轄官庁、任意に登録された連絡先等、適宜定めることができる）
・氏名または名称
・住所
・電話番号
・ＦＡＸ番号
・電子メールアドレス
・携帯電話番号
・ウェブサイトアドレス
・配信方法
・関連検知装置ＩＤ
＜配信ルールテーブル＞
状況種別およびレベルと、配信範囲との対応関係を定めるテーブルであり、例えば次のようなフィールドにより構成することができる。
・配信ルールＩＤ番号（主キー）
・配信基準（配信範囲を決定するための基準となる条件）
・配信範囲（配信先種別の範囲および利害関係者ＩＤの範囲）
＜テンプレートテーブル＞
配信先種別と配信内容の定型部分との対応関係を定めるテーブルであり、例えば次のようなフィールドにより構成することができる。
・テンプレートＩＤ番号（主キー）
・配信基準
・配信先種別
・テンプレートデータ
＜検知装置識別情報テーブル＞
検知装置と、配信範囲の基準となる位置または検知対象との対応関係を定めるテーブルであり、例えば次のようなフィールドにより構成することができる。
・検知装置ＩＤ番号（主キー）
・配信先ＩＤ
・検知装置所在地住所（当該住所と対応する配信先ＩＤがない場合）
・検知装置管理者の氏名または名称（当該検知装置と対応する配信先ＩＤがない場合）
【００３０】
この場合、配信制御サーバ１１の制御プログラムとしては、例えば、図３および図４に示される制御フローに従う動的配信実行プログラムを用いることができる。すなわち、配信制御サーバ１１は、定期的（場合によっては任意の時でも良い）に状況送信装置３から検知情報を受信する。この通信方法は、前述のとおり配信制御サーバ１１と状況送信装置３との組み合わせに応じて適宜定めることができる。例えば、状況送信装置３から配信制御サーバ１１にダイアルアップ等により直接接続し、制御プログラムへ検知情報を直接的に渡すこともできるし、電子メールやファックスを利用する場合には状況送信装置３からの検知情報はメールサーバ１３もしくはＦＡＸサーバ１４に送信され、配信制御サーバ１１は制御プログラムに従ってこれらの受信サーバ１３，１４にアクセスしてメール等を受信し、検知情報を読み出すこともできる。
【００３１】
配信制御サーバ１１は、検知情報を受信するとデータベースサーバ１２にアクセスし、受信情報を履歴テーブルに新規レコードとして追加する。なお、このレコードの新規追加は後述の情報配信に関する処理が完了した後に行うこともできる。
【００３２】
また、配信制御サーバ１１は受信の度に、直近レコードとの比較を行う。すなわち、検知情報に含まれる検知装置ＩＤ番号を含むレコードであって、且つ受信した検知時間情報に最も近い検知時間情報を含むレコードを履歴テーブルから選択し、状況種別の共通する受信検知情報の状況レベルと選択レコードの状況レベルとを比較し、その結果、変化の有無を検知する。この場合、状況種別に応じて、例えば状況レベルが変化あり・変化なしの２段階であるときには、比較により差が生じたとき変化ありとすることができ、状況レベルが計測値または多数段階であるときには、比較に際して差をとり変化量を算出し、その変化量が所定値以上であったときに変化ありとすることができる。比較の結果、変化なしとなったときには、検知情報の受信待ち或いは次の受信情報の処理を行う。
【００３３】
比較の結果、状況に変化が生じたときには、受信した状況種別および状況レベルが該当する配信基準を含むレコードを配信ルールテーブルから検索し、配信範囲を選択する。本例では、配信範囲は、配信先種別の範囲および利害関係者ＩＤの範囲を含んでいるため、配信内容および配信先の動的な選択が可能になる。
【００３４】
すなわち続いて、配信制御サーバ１１は、選択した配信範囲に該当する配信先種別を含み、かつ受信した状況情報に該当する配信基準情報を含むテンプレート情報をテンプレートテーブルから選択し、このテンプレートに受信した検知情報をそのまま或いは加工して埋め込み配信先種別毎の配信情報を作成する。例えば、受信した検知情報に含まれる検知装置ＩＤに基づいて検知装置識別情報テーブルから検知装置所在地住所や、検知対象の氏名または名称等の検知装置識別情報を選択し、これを、検知時間、状況種別および状況レベルとともに、テンプレートに埋め込み、配信先に適した文章情報とすることができる。配信先種別毎に、テンプレートを用意することにより、例えば、検知対象自体若しくはその関係者に対する配信内容や、通報すべき所轄官庁に対する情報は詳細にする一方、近隣住民等に対しては、一部情報を省略する等、柔軟かつ適切な配信情報の作成が可能となる。なお、本発明では、検知情報以外の情報についても、併せて配信情報に埋め込むことができる。
【００３５】
配信内容を作成する一方、取得した配信範囲に該当する配信先を、受信した検知装置識別情報を基準に配信先テーブルから選択する。例えば、配信範囲が隣家、地域、特定地域管轄機関である場合には、検知装置所在地住所を基準に、隣家、地域、地域管轄機関（警察署等）を選択することができる。また本例の場合、配信範囲が利害関係人や任意登録者（例えば警備会社等）であるように住所を基準に選択できない場合には、受信した検知装置識別情報に該当する関連検知装置識別情報（上記配信先テーブルの関連検知装置ＩＤ）を含む配信先を、配信先テーブルから選択することで対応することができる。
【００３６】
そして、配信制御サーバ１１は、選択した配信先に含まれる配信先種別、配信方法（電子メール、電話等）および宛先情報（電子メールアドレス、電話番号等）を取得し、取得した配信先種別と一致する配信情報を、当該配信方法および宛先情報に従って送信する。配信情報は、コンピュータ２０、ＰＤＡ（個人用携帯情報端末）２１、携帯電話機２２、ファックス機２３、固定電話機２４等により受信され、受信者がその内容を見ることができる。
【００３７】
この送信に際して、配信制御サーバ１１はメールサーバ１３、ファックスサーバ１４、自動電話通報装置１５等の送信装置に対して所定の方式に従って上記配信内容を含む所定の情報を送信し、これらの送信装置が配信先に対して配信内容を送信する。なお、配信先は、電子メールや電話のように特定の配信者とすることができる他、掲示板等のウェブサイトとすることもでき、この場合、該当するウェブサーバ１６を動的に選択して、そこに動的に決定した配信内容を送信（アップもしくは投稿）することもできる。
【００３８】
情報配信の実行後は、検知情報の受信待ち或いは次の受信情報の処理を行う。もちろん、上述の検知情報の受信処理、比較処理、配信先の選択処理、配信内容の作成処理および送信処理は、適宜、並列処理とすることもできる。
【００３９】
本発明のシステムでは、制御プログラムにおいて又は別途のプログラムとして、履歴情報等の登録・更新・削除処理を行うように構成することができる。すなわち、上記システム例１において、データベースサーバにおける履歴テーブル、配信先テーブル、配信ルールテーブル、テンプレートテーブルならびに検知装置識別情報テーブルに対して、レコード登録・更新・削除処理を行うように構成することができる。この操作は、検知装置２が新規に設置されたもしくは撤去された場合や、配信先の申し込みがあった場合、新たな種類の情報配信を行う場合における新規ルールおよびテンプレートの登録を行う場合等、管理的側面で使用することができる。
【００４０】
また、配信先の希望者を新規登録する場合、システム管理者が行っても良いが、希望者自身がウェブサイト（携帯サイト含む）を通じて自動登録するように構成することもできる。このような登録手段はメールマガジンやメーリングリスト等と同様に構築できるものである。例えば、上記システム例において、ネットワーク上に設置されたウェブサーバ１６に対し、データベース１２にアクセス可能なウェブサイトをＣＧＩやＰＨＰ等のスクリプト言語を用いて構築し、配信先テーブルの登録・削除処理のみを可能とすることもできる。
【００４１】
また、配信制御サーバ１１における制御プログラムは、適宜の言語により作成することができるが、上記システムのようにデータベースサーバ１２の利用を考慮すると、ＣＧＩやＰＨＰ等のサーバサイドスクリプト言語を利用したウェブベースのシステムとして構成するのが好ましい。
【００４２】
次に、上記システム例を用いた更に具体的な形態について、生活支援のための各種情報配信サービスを例に説明する。図５は、下記適用例１〜３に共通するシステムの概要を示しており、符号ＩＮはインターネット、符号ＦＴは固定電話網、符号ＰＴは携帯電話網をそれぞれ示している。
【００４３】
＜適用例１：火災情報の配信サービス＞
本例においては、各住宅Ａ，Ｂ…の各室内に、煙感知センサ、赤外線センサ、紫外線センサ、室内温度センサを含む室内センサが設置される。また、室外、例えば庭、ベランダ、屋根、車庫等には、雨センサ、風力測定センサ、室外湿度センサを含む室外センサが設置される。これらにより状況検知装置２が構成されている。
【００４４】
また、各住宅内には状況送信装置としてホームサーバ３０が設置されている。ホームサーバ３０は専用機により、またパーソナルコンピュータ等の汎用機により構成することができる。ホームサーバ３０は、専用もしくは汎用のインターフェース、ならびに必要に応じて専用もしく汎用の受信装置を介して室内および室外の各センサ２と通信可能なように接続されている。
【００４５】
ホームサーバ３０は、内蔵の記憶装置から送信制御プログラムを読み出し実行する。これにより、定期的に各センサ２から検知情報を受信し、受信情報を表３に示すように検知装置毎に状況種別および状況レベルに変換し、この状況情報に、検知装置ＩＤと、検知時間情報とを付加し、これらを対応付けた一連の検知情報として、所定形式の電子メールにより後述する配信装置１０宛に送信する。
【００４６】
【表３】
2005222249.tif 000005
【００４７】
配信装置１０は、情報配信サービスの提供者により設置・管理される。配信装置１０は、同一または個別のコンピュータ上に構築された配信制御サーバ１１、データベースサーバ１２、メールサーバ１３、および自動電話通報装置１５から構成されている。配信制御サーバ１１は、データベースサーバ１２にアクセスして所定データの追加、更新、選択をすること、メールサーバ１３にアクセスしてメールの送受信をすること、ならびに自動電話通報装置１５を制御することが可能なように構成されている。このためおよび本発明の動的情報配信のため、配信制御サーバ１１は、その構成装置内に内蔵された記憶装置に記憶された制御プログラムを読み出して実行する。
【００４８】
また、データベースサーバ１２は、前述したテーブル構造を有し、特に配信ルールテーブルおよびテンプレートテーブルは下記表４および表５に示す構造を有する。
【００４９】
【表４】
2005222249.tif 000006
【００５０】
【表５】
2005222249.tif 000007
【００５１】
以上のように構成された配信装置１０は次のような処理を行う。すなわち、配信制御サーバ１１は、メールサーバ１３に定期的にアクセスして、各住宅Ａ，Ｂ…から所定のアドレス宛に送信された電子メールを受信する。そして受信した電子メールから検知情報を取得するとともに、データベースサーバ１２にアクセスし、受信した検知情報を履歴テーブルに新規レコードとして追加する。かくして、煙の有・無、赤外線量、紫外線量、室内温度、雨の有・無、風力値、室外最小湿度からなる各住宅の状況が定期的に蓄積される。
【００５２】
また配信制御サーバ１１は、この新規レコード追加処理とともに、前述したように受信した検知情報と直近レコードとの比較を行う。具体的には、受信した検知情報における状況種別「煙」およびその状況レベル「無」と、状況種別が煙である直近レコードの状況レベル「無」との比較、受信した検知情報における状況種別「火炎」およびその状況レベル「赤外線量ｚ％」と、状況種別が火炎である直近レコードの状況レベル「赤外線量ｙ％」との比較、といったように状況種別順に比較を行い、変化の有無を検知する。
【００５３】
状況種別が多段階もしくは連続的な数値である場合、比較に際して差をとり変化量を算出し、その変化量が所定値以上であったときに変化ありとすることができる。この所定値は、適宜定めることができ、予め制御プログラムに組み込んでおいたり、状況種別と対応させたテーブルとしてデータベースサーバ１２に格納しておいたりし、必要に応じて読み出すようにすることができる。比較の結果、変化なしとなったときには、検知情報の受信待ち或いは次の受信情報の処理を行う。
【００５４】
比較の結果、状況に変化が生じたときには、動的に配信先および配信内容を決定し、自動送信を行う。いま、住宅Ａから配信制御サーバ１１に送信された検知情報に含まれる状況種別および状況レベルが、「煙，有；室内温度，４２℃；赤外線量，０％；紫外線量，０％；雨，無し；風力，３；室外最小湿度，５０％」（カンマはフィールドの区切りを示し、セミコロンはレコードの区切りを示す。以下同じ。）であり、データベースサーバから選択した直近レコードの状況種別および状況情報が「煙，無し；室内温度，２４℃；赤外線量，０％；紫外線量，０％；雨，無し；風力，３；室外最小湿度，５０％」であったとする。この場合、状況種別「煙」および「室内温度」に変化があるため、情報配信が実行されることになる。
【００５５】
すなわち、配信制御サーバ１１は、データベースサーバ１２にアクセスし、受信検知情報が該当する配信基準を含むレコードを配信ルールテーブルから検索し、配信範囲を選択する。この場合、ＩＤが１のルールが検索され、配信範囲として該当場所住人と管轄消防署とが選択されることになる。次いで、配信制御サーバ１１は、再びデータベースサーバ１２にアクセスし、配信範囲が該当場所住人または管轄消防署であり、かつ受信した状況情報に該当する配信基準を含む、つまりＩＤが１のテンプレート情報をテンプレートテーブルから選択し、このテンプレートに受信した検知情報をそのまま或いは加工して埋め込み配信先種別毎の配信情報を作成する。なお、表中の「？」は情報を埋め込む部分を示し（以下、同じ）ており、必要に応じて、受信した検知情報に含まれる検知装置ＩＤに基づいて検知装置識別情報テーブルから検知装置所在地住所や、検知対象の氏名または名称等の検知装置識別情報を選択し、これを、検知時間、状況種別および状況レベルとともに、テンプレートに埋め込み、配信先毎に適切な文章情報を作成する。
【００５６】
配信制御サーバ１１は、上述のように配信内容を作成する一方、取得した配信範囲に該当する配信先を選択し、配信を実行する。具体的には、受信した検知装置ＩＤに基づいて検知装置識別情報テーブルから検知装置所在地住所を選択し、これと配信範囲に含まれる配信先種別とを基準に該当場所住人および管轄消防署を配信先テーブルから検索し、該当する配信先に含まれる配信先種別、配信方法（電子メール、電話等）および宛先情報（電子メールアドレス、電話番号等）を選択し、選択した配信先種別と一致する配信情報を、当該配信方法および宛先情報に従って送信する。この送信に際して、配信制御サーバ１１はメールサーバ１３、自動電話通報装置１５等の送信装置に対して所定の方式に従って上記配信内容を含む所定の情報を送信し、これらの送信装置１３，１５が配信先に対して配信内容を送信する。情報配信の実行後は、検知情報の受信待ち或いは次の受信情報の処理を行う。
【００５７】
かくして、配信制御サーバ１１から電子メールや固定電話２４、携帯電話２２を介して、該当場所の住人ａには「《火災発生》貴方の家で煙が発生し、室内温度が４２℃以上になっている場所があります。至急、確認、初期消火等の対応をしてください。」という情報が送信され、管轄消防署に対しても、同様に電子メール等を介して「《火災発生》場所：Ａ宅、状況：煙検知、室内温度４２℃以上、炎未検知。既通知先：該当場所住人。」という情報が送信される。
【００５８】
次に、同じ住宅Ａから配信制御サーバ１１に送信された検知情報に含まれる状況種別および状況レベルが、「煙，有；室内温度，５３℃；赤外線量，５０％；紫外線量，０％；雨，無し；風力，３；室外最小湿度，５０％」であったとすると、上記直近のレコードと比べて状況種別「赤外線量」に変化があり、炎が上った状況が想定され（紫外線量に変化がないため炎は小さいことが想定される）、再び情報配信が実行されることになる。この場合、配信制御サーバ１１はデータベースサーバ１２にアクセスし、ルールテーブルにおけるＩＤが２の配信基準に該当するため配信範囲を該当場所住人、管轄消防署および隣家住人と決定し、テンプレートテーブルからＩＤ２，６，９のテンプレート情報を選択して配信内容を作成し、さらに該当場所住人、管轄消防署および隣家住人に該当する配信先を配信先テーブルから選択し、前述の場合と同様に各配信先に対して情報を配信する。
【００５９】
他方、いま、別の住宅Ｂから配信制御サーバ１１に送信された検知情報に含まれる状況種別および状況レベルが、「煙，有；室内温度，５３℃；赤外線量，５０％；紫外線量，０％；雨，無し；風力，６；室外最小湿度，３０％」であり、データベースサーバ１２の履歴テーブルから選択した直近レコードの状況種別および状況情報が「煙，無し；室内温度，２４℃；赤外線量，０％；紫外線量，０％；雨，無し；風力，６；室外最小湿度，３０％」であったとすると、状況種別「煙」および「室内温度」に変化があるため、情報配信が実行されることになる。ただし、この場合には、降雨が無く、風がかなりあり、乾燥した気候条件下にあるため、延焼のおそれがある。
【００６０】
このような場合、配信制御サーバ１１はデータベースサーバ１２にアクセスし、ルールテーブルにおけるＩＤが４の配信基準に該当するため、前述の住宅Ａにおける場合と異なり配信範囲を該当場所住人、管轄消防署および隣家住人と決定し、テンプレートテーブルからＩＤが４、８および１１のテンプレート情報を選択して配信内容を作成し、さらに該当場所住人、管轄消防署および隣家住人に該当する配信先を配信先テーブルから選択し、前述の場合と同様に各配信先に対して情報を配信する。
【００６１】
この形態からも判るように、本発明は検知装置２と配信装置１０とを組み合わせて、検知装置２により検知される情報に基づいて動的に配信先および配信内容を決定し、配信を行うものであり、状況の発生に対して、適切な時に適切な内容で適切な配信先に配信することができることに特徴を有するものである。
【００６２】
＜適用例２：防犯情報の配信サービス＞
本例においては、各住宅の敷地内には人感知用の赤外線センサが設置され、住宅の窓、扉等の開口部には開口部開閉検知センサが設置され、ガラス窓のガラス面にはガラス破壊検知センサが設置され、住宅内には人感知用の赤外線センサが設置される。これら防犯センサにより図２における状況検知装置２が構成される。ホームサーバ３０、配信装置１０、その他の機器構成は前述の適用例１と同様であるため説明は省略する。
【００６３】
ホームサーバ３０は、定期的に各センサ２から検知情報を受信し、受信情報を表６に示すように検知装置毎に状況種別および状況レベルに変換し、この状況情報に、検知装置ＩＤと、検知時間情報とを付加し、これらを対応付けた一連の検知情報として、所定形式の電子メールにより後述する配信装置１０宛に送信する。
【００６４】
【表６】
2005222249.tif 000008
【００６５】
配信装置１０を構成するデータベースサーバ１２は、前述したテーブル構造を有し、特に配信ルールテーブルおよびテンプレートテーブルは下記表７および表８に示す構造を有する。
【００６６】
【表７】
2005222249.tif 000009
【００６７】
【表８】
2005222249.tif 000010
【００６８】
以上のように構成された配信装置１０は次のような処理を行う。すなわち、配信制御サーバ１１は、メールサーバ１３に定期的にアクセスして、各住宅Ａ，Ｂ…から所定のアドレス宛に送信された電子メールを受信し、受信した検知情報を履歴テーブルに新規レコードとして追加するとともに、前述したように履歴テーブルに記録されている直近レコードを読み出し、この読み出した情報と受信した検知情報との比較を行う。本適用例の場合、例えば、受信した検知情報における状況種別「敷地内の人の有無」およびその状況レベル「無」と、状況種別が敷地内の人の有無である直近レコードの状況レベル「無」との比較といったように、状況種別順に比較を行い、変化の有無を検知する。比較の結果、変化なしとなったときには、検知情報の受信待ち或いは次の受信情報の処理を行う。
【００６９】
比較の結果、状況に変化が生じたときには、動的に配信先および配信内容を決定し、自動送信を行う。いま、住宅Ａから配信制御サーバ１１に送信された検知情報に含まれる状況種別および状況レベルが、「敷地内の人の有無，有；開口部の開閉，閉；ガラス破壊の有無，無；宅内の人の有無，無」であり、データベースサーバ１２から選択した直近レコードの状況種別および状況情報が「敷地内の人の有無，無；開口部の開閉，閉；ガラス破壊の有無，無；宅内の人の有無，無」であったとすると、状況種別「敷地内の人の有無」に変化があるため、情報配信が実行されることになる。
【００７０】
情報配信に際して、配信制御サーバ１１は、データベースサーバ１２にアクセスし、受信検知情報が該当する配信基準を含むレコードを配信ルールテーブルから検索し、配信範囲を選択する。この場合、ＩＤが１のルールが検索され、配信範囲として該当場所住人と隣家住人とが選択されることになる。次いで、配信制御サーバ１１は、再びデータベースサーバ１２にアクセスし、配信範囲が該当場所住人または隣家住人であり、かつ受信した状況情報に該当する配信基準を含む、つまりＩＤが１および５のテンプレート情報をテンプレートテーブルから選択し、このテンプレートに受信した検知情報をそのまま或いは加工して埋め込み配信先種別毎の配信情報を作成する。
【００７１】
この一方で、配信制御サーバ１１は、取得した配信範囲に該当する配信先を選択し、配信を実行する。具体的手法は適用例１と同様である。
【００７２】
かくして、配信制御サーバ１１から電子メールや固定電話２４、携帯電話２２を介して、該当場所の住人ａには「貴方の家の敷地内に侵入者がいるおそれがあります。十分に注意して確認・対応してください。」という情報が送信され、隣家住人には、「隣の？家の敷地内に侵入者がいるおそれがあります。貴方の家も被害を被るおそれがあります。十分に注意して確認・対応してください。」という情報が送信される。
【００７３】
他の場合も同様であり、例えば、住宅Ａから配信制御サーバ１１に送信された検知情報に含まれる状況種別および状況レベルが、「敷地内の人の有無，無；開口部の開閉，有；ガラス破壊の有無，無；宅内の人の有無，有」に変化したとすれば、ＩＤが４のルールとＩＤが４、８および１１のテンプレートとが選択され、該当場所住人、隣家住人ならびに管轄警察署に対して適切な内容の情報が配信される。
【００７４】
＜適用例３：販売促進情報の配信サービス＞
近年では、商品やサービスの提供に際して、天候等を考慮した商品の陳列等が行われている。本発明は、このような販売促進に役立つ情報の配信にも適用できるものである。以下、ビールの販売促進への適用例について説明する。
【００７５】
本例においては、各住宅の室外、例えば庭、ベランダ、屋根、車庫等には、雨センサ、気圧測定センサ、室外温度センサ、室外湿度センサ、および日射センサが設置される。これらの気象関連センサにより図１中の状況検知装置２が構成される。ホームサーバ３０、配信装置１０、その他の機器構成は前述の適用例１と同様であるため説明は省略する。
【００７６】
ホームサーバ３０は、定期的に各センサ２から検知情報を受信し、受信情報を表９に示すように検知装置毎に状況種別および状況レベルに変換し、この状況情報に、検知装置ＩＤと、検知時間情報とを付加し、これらを対応付けた一連の検知情報として、所定形式の電子メールにより後述する配信装置宛に送信する。
【００７７】
【表９】
2005222249.tif 000011
【００７８】
配信装置１０を構成するデータベースサーバ１２は、前述したテーブル構造を有し、特に配信ルールテーブルおよびテンプレートテーブルは下記表１０および表１１に示す構造を有する。
【００７９】
【表１０】
2005222249.tif 000012
【００８０】
【表１１】
2005222249.tif 000013
【００８１】
以上のように構成された配信装置１０は次のような処理を行う。すなわち、配信制御サーバ１１は、メールサーバ１３に定期的にアクセスして、各住宅Ａ，Ｂ…から所定のアドレス宛に送信された電子メールを受信し、受信した検知情報を履歴テーブルに新規レコードとして追加するとともに、前述したように受信した検知情報と直近レコードとの比較を行う。本適用例の場合、例えば、受信した検知情報における状況種別「雨」およびその状況レベル「無」と、状況種別が雨である直近レコードの状況レベル「無」との比較といったように、状況種別順に比較を行い、変化の有無を検知する。比較の結果、変化なしとなったときには、検知情報の受信待ち或いは次の受信情報の処理を行う。
【００８２】
比較の結果、状況に変化が生じたときには、配信制御サーバ１１は動的に配信先および配信内容を決定し、自動送信を行う。いま、住宅Ａから配信制御サーバ１１に送信された検知情報に含まれる状況種別および状況レベルが、「雨，無；気圧，高；温度，高；湿度，高；日射量，多い」であり、データベースサーバから選択した直近レコードの状況種別および状況情報が「雨，有；気圧，低；温度，高；湿度，高；日射量，少ない」であったとすると、状況種別「雨」、「気圧」および「日射量」に変化があるため、情報配信が実行されることになる。
【００８３】
情報配信に際して、配信制御サーバ１１は、データベースサーバ１２にアクセスし、受信検知情報が該当する配信基準を含むレコードを配信ルールテーブルから検索し、配信範囲を選択する。この場合、ＩＤが１のルールが検索され、配信範囲として住宅Ａと同地域の個人、商業者、外食業者、交通機関が選択されることになる。次いで、配信制御サーバ１１は、再びデータベースサーバ１２にアクセスし、住宅Ａと同地域であって、かつ個人、商業者、外食業者または交通機関であり、さらに受信した状況情報に該当する配信基準を含む、つまりＩＤが１、５、８及び１０のテンプレート情報をテンプレートテーブルから選択し、このテンプレートに受信した検知情報をそのまま或いは加工して埋め込み配信先種別毎の配信情報を作成する。
【００８４】
この一方で、配信制御サーバ１１は、取得した配信範囲に該当する配信先を選択する。基本的な流れは、適用例１および２と同様であるが、本例は販売促進情報であり、該当場所住人に限定されず、当該気象条件の地域一帯に情報を配信することになる。具体的には、受信した検知装置ＩＤに基づいて検知装置識別情報テーブルから検知装置所在地住所を選択し、これと配信範囲に含まれる配信先種別とを基準に、同地域であって、かつ個人、商業者、外食業者または交通機関である配信先テーブルから選択し、配信を行う。
【００８５】
かくして、配信制御サーバ１１から電子メールや電話を介して、同地域の個人には「今日はビール指数１００％！絶好のビール日よりです。最高においしくビールを飲みたい人、今日を逃すかれ！？」という情報が送信され、商業者には、「今日はビール指数１００％！絶好のビール日よりです。ビールの販売が通常よりも著しく伸びると考えられます。在庫確認・仕入れ手配・商品陳列の考慮をお勧めします。」という情報が送信され、外食業者には、「今日はビール指数１００％！絶好のビール日よりです。ビールの注文数が通常よりも著しく伸びると考えられます。在庫確認・仕入れ手配・上りの設置の考慮をお勧めします。」という情報が送信され、交通機関には「今日はビール指数１００％！夜遅くに交通機関の利用が増加することが予想されます。人員の手配等の考慮をお勧めします。」という情報が送信される。
【００８６】
他の場合も同様であり、例えば、住宅Ａから配信制御サーバに送信された検知情報に含まれる状況種別および状況レベルが、「雨，有；気圧，低；温度，低；湿度，低；日射量，少ない」に変化したとすれば、ＩＤが４のルールとＩＤが４のテンプレートとが選択され、同地域の個人に対して適切な内容の情報が配信される。
【００８７】
＜その他＞
上記例では、理解を容易にするために、各情報配信システムを個別に構成したが、共通の配信装置により、火災情報、防犯情報、販売促進情報のように種類の異なる情報を配信するように構成することができる。
【００８８】
また、配信装置を共通化するにしても、共通化しないにしても温度センサや湿度センサ、雨センサのように複数種類の情報配信に必要とされる汎用的なセンサは共通的に使用することができる。
【００８９】
また、上記例では、理解を容易にするために、配信ルール、テンプレートについても簡易な構成としたが、状況種別に応じて重み付けを行う等、より高度かつ複雑な構成とすることもできる。
【産業上の利用可能性】
【００９０】
本発明は、防犯・防災に関する情報や、気象・環境等に関する情報、健康・介護に関する情報、交通情報等の公共性や地域性が強い情報の動的配信に好適なものであるが、これに限定されるものではなく、他のあらゆる情報の配信に適用できるものである。
【図面の簡単な説明】
【００９１】
【図１】システム構成例の概要図である。
【図２】フロー図である。
【図３】フロー図である。
【図４】フロー図である。
【図５】適用例１〜３のシステム構成例の概要図である。
【符号の説明】
【００９２】
１…動的情報配信システム、２…状況検知装置、３…状況送信装置、４…受信装置、５…通信機器、１０…配信装置、１１…配信制御サーバ、１２…データベースサーバ、１３…メールサーバ、１４…ファックスサーバ、１５…自動電話通報装置、１６…ウェブサーバ、２０…コンピュータ、２１…ＰＤＡ、２２…携帯電話機、２３…ファックス機、２４…固定電話機、３０…ホームサーバ、ＩＳ…各種通信網、ＩＮ…インターネット、ＦＴ…固定電話網、ＰＴ…携帯電話網。
【図１】
2005222249.tif 000014
【図２】
2005222249.tif 000015
【図３】
2005222249.tif 000016
【図４】
2005222249.tif 000017
【図５】
2005222249.tif 000018